【事件の表示】
　特願２０１４−２４２４９８「遊技機」拒絶査定不服審判事件〔平成２８年　６月　２日出願公開、特開２０１６−１０１４３３〕について、次のとおり審決する。
【結　論】
　本件審判の請求は、成り立たない。
【理　由】
第１　手続の経緯
　本願は、平成２６年１１月２８日の出願であって、平成２７年１１月４付けで拒絶の理由が通知され、平成２８年１月７日付けで手続補正がなされ、同年５月１１日付けで拒絶査定がなされ、これに対して、同年８月８日に拒絶査定不服審判の請求がなされるとともに手続補正がなされたものである。
第２　平成２８年８月８日付けの手続補正についての補正却下の決定
［補正却下の決定の結論］
　平成２８年８月８日付けの手続補正（以下、「本件補正」という。）を却下する。
［理由］
１　補正の内容
　本件補正は、特許請求の範囲の請求項１の補正を含んでおり、平成２８年１月７日付けの手続補正と本件補正後の特許請求の範囲の請求項１の記載は、それぞれ、以下のとおりである（下線部は、補正箇所を示す。）。
（補正前：平成２８年１月７日付け手続補正）
「【請求項１】
　始動条件が成立した場合、遊技者に有利な特別遊技を実行するか否かを判定するとともに該判定結果を報知するための報知演出を実行し、該判定結果が特別判定結果である場合は前記特別遊技を実行する遊技機であって、
　前記報知演出には、複数種類の特定演出のうちいずれかを実行する報知演出が含まれ、
　前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれる、ことを特徴とする遊技機。」
（補正後：平成２８年８月８日付け手続補正）
「【請求項１】
　始動条件が成立した場合、遊技者に有利な特別遊技を実行するか否かを判定するとともに該判定結果を報知するための報知演出を実行し、該判定結果が特別判定結果である場合は前記特別遊技を実行する遊技機であって、
　前記報知演出には、複数種類の特定演出のうちいずれかを実行する報知演出が含まれ、
　前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれ
、
　
前記第１特定演出は、前記第３特定演出よりも前記判定結果が前記特別判定結果である期待度が高い特定演出であり、前記第２特定演出は、前記第１特定演出よりも前記判定結果が前記特別判定結果である期待度が高い特定演出である、
２　補正の適否
（１）本件補正
　本件補正は、特許請求の範囲の請求項１について、次の補正事項を含むものである。
　補正前の請求項１における「前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれる、」という記載を、
「前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれ
、
　
前記第１特定演出は、前記第３特定演出よりも前記判定結果が前記特別判定結果である期待度が高い特定演出であり、前記第２特定演出は、前記第１特定演出よりも前記判定結果が前記特別判定結果である期待度が高い特定演出である、
（２）補正の目的等についての検討
　上記補正事項は、補正前の「第１特定演出」と「第３特定演出」との間の「判定結果が特別判定結果である期待度」の高低関係について、前者が後者よりも「高い」と具体的に限定するとともに、補正前の「第２特定演出」と「第１特定演出」との間の「判定結果が特別判定結果である期待度」の高低関係について、前者が後者よりも「高い」と具体的に限定する補正であり、しかも、産業上の利用分野及び解決しようとする課題が補正の前後で同一であるので、特許法第１７条の２第５項第２号に規定する特許請求の範囲の減縮を目的とするものに該当する。
　そして、上記補正事項は、本願明細書の段落【０３７９】に、「ノーマルリーチ」及び「ロングリーチ」の場合は、信頼度表示を行わないことが記載され、段落【０３８０】に、「ＳＰリーチ１」「ＳＰリーチ２」「ＳＰＳＰリーチ１」「ＳＰＳＰリーチ２」の場合は、信頼度表示を変化させることが可能であること、及び、「全回転リーチ」の場合は、信頼度表示を変化させることができないことが記載されており、上記の「ノーマルリーチ」及び「ロングリーチ」を『第３特定演出』、「ＳＰリーチ１」「ＳＰリーチ２」「ＳＰＳＰリーチ１」「ＳＰＳＰリーチ２」を『第１特定演出』、「全回転リーチ」を『第２特定演出』に相当するものとみれば、「ＳＰリーチ１」「ＳＰリーチ２」「ＳＰＳＰリーチ１」「ＳＰＳＰリーチ２」に相当する『第１特定演出』は、「ノーマルリーチ」及び「ロングリーチ」に相当する『第３特定演出』よりも「判定結果が特別判定結果である期待度」が「高い」ことは技術常識からみて明らかであり、同様に「全回転リーチ」に相当する『第２特定演出』は、「ＳＰリーチ１」「ＳＰリーチ２」「ＳＰＳＰリーチ１」「ＳＰＳＰリーチ２」に相当する『第１特定演出』よりも「判定結果が特別判定結果である期待度」が「高い」ことも明らかであるから、上記段落【０３７９】、【０３８０】の記載等に基づくものということができ、新規事項を追加するものではない。
３　独立特許要件について
　本件補正後の請求項１に記載された発明が、特許出願の際独立して特許を受けることができるものであるか（特許法第１７条の２第６項において準用する同法第１２６条第７項の規定に適合するか）について以下に検討する。
（１）本件補正後の請求項１に係る発明
　補正後の請求項１に係る発明（以下、「本願補正発明」という。）は、上記１の「補正の内容」において示したとおりのものである（Ａ〜Ｄは、本願補正発明を分説するために当審で付した。）。
「【請求項１】
Ａ　始動条件が成立した場合、遊技者に有利な特別遊技を実行するか否かを判定するとともに該判定結果を報知するための報知演出を実行し、該判定結果が特別判定結果である場合は前記特別遊技を実行する遊技機であって、
Ｂ　前記報知演出には、複数種類の特定演出のうちいずれかを実行する報知演出が含まれ、
Ｃ　前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれ、
Ｄ　前記第１特定演出は、前記第３特定演出よりも前記判定結果が前記特別判定結果である期待度が高い特定演出であり、前記第２特定演出は、前記第１特定演出よりも前記判定結果が前記特別判定結果である期待度が高い特定演出である、ことを特徴とする遊技機。」
（２）刊行物に記載された発明
　ア　刊行物１
　原査定の拒絶の理由に引用された本願の出願前に頒布された刊行物である特開２０１４−８３２６１号公報（以下、「刊行物１」という。）には、図面とともに以下の事項が記載されている（下線は当審で付した。以下同じ。）。
（ア）「【００２１】実施の形態１・・・以下、本発明の実施の形態を、図面を参照して説明する。まず、遊技機の一例である
パチンコ遊技機１
【００２４】
遊技領域７の中央付近には、液晶表示装置（ＬＣＤ）で構成された演出表示装置９が設けられている。演出表示装置９では、第１特別図柄または第２特別図柄の可変表示に同期した演出図柄（飾り図柄）の可変表示（変動）が行われる
（イ）「【００５０】図２は、主基板（遊技制御基板）３１における回路構成の一例を示すブロック図である。・・・図２には、・・・演出制御基板８０等も示されている。主基板３１には、プログラムに従ってパチンコ遊技機１を制御する遊技制御用マイクロコンピュータ（遊技制御手段に相当）５６０が搭載されている。遊技制御用マイクロコンピュータ５６０は、ゲーム制御（遊技進行制御）用のプログラム等を記憶するＲＯＭ５４、ワークメモリとして使用される記憶手段としてのＲＡＭ５５、プログラムに従って制御動作を行うＣＰＵ５６およびＩ／Ｏポート部５７を含む。・・・
【００５５】
遊技制御用マイクロコンピュータ５６０は、第１始動口スイッチ１３ａまたは第２始動口スイッチ１４ａへの始動入賞が生じたときに乱数回路５０３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる
（ウ）「【０１２６】
図９（Ａ）は、大当り判定テーブルを示す説明図・・・ランダムＲと比較される大当り判定値が設定されているテーブルである。・・・通常時大当り判定テーブルには、図９（Ａ）の左欄に記載されている各数値が設定され、確変時大当り判定テーブルには・・・右欄に記載されている各数値が設定されている。図９（Ａ）に記載されている数値が大当り判定値である
【０１３３】
図１０は、あらかじめ用意された演出図柄の変動パターンを示す
【０１３４】また、
可変表示結果が「はずれ」であり演出図柄の可変表示態様が「リーチ」である場合に対応した変動パターンとして、ノーマルＰＡ３−１〜ノーマルＰＡ３−２、スーパーＰＡ３−３〜スーパーＰＡ３−８の変動パターンが用意されている
【０１３５】スーパーＰＡ３−７〜スーパーＰＡ３−８の変動パターンは、後述する特別リーチ演出を含むリーチ変動パターンである。
【０１３６】また、
図１０に示すように、この実施の形態では、特別図柄の可変表示結果が大当り図柄（突然確変大当り図柄を除く）になる場合に対応した変動パターンとして、ノーマルＰＢ１−１〜ノーマルＰＢ１−２、スーパーＰＢ１−３〜スーパーＰＢ１−８の変動パターンが用意されている
・・・
【０１３７】スーパーＰＢ１−７〜スーパーＰＢ１−８の変動パターンは、後述する特別リーチ演出を含むリーチ変動パターンである。・・・
【０１４２】また、
ＣＡ２−１は、可変表示態様（表示結果）がリーチ（はずれ）であってノーマルリーチのときに選択される変動パターン種別
ＣＡ２−２は、可変表示態様（表示結果）がリーチ（はずれ）であってスーパーリーチのときに選択される変動パターン種別
【０１４３】また、
ＣＢ１−１は、可変表示態様（表示結果）が非確変大当り（通常大当り）または確変大当りであってノーマルリーチのときに選択される変動パターン種別
ＣＢ１−２は、可変表示態様（表示結果）が非確変大当り（通常大当り）または確変大当りであってスーパーリーチのときに選択される変動パターン種別
【０１４７】
図１２（Ａ）〜（Ｄ）は、大当り変動パターン種別決定テーブル
を示す説明図
大当り変動パターン種別決定テーブル１３２Ａ
は、可変表示結果を大当り図柄にする旨の判定がなされたとき
大当り種別の判定結果
に応じて、変動パターン種別を、変動パターン種別判定用の乱数（ランダム３）にもとづいて複数種類のうちのいずれかに決定するために参照されるテーブル
【０１４８】
各大当り変動パターン種別決定テーブル１３２Ａ
には、変動パターン種別判定用の乱数（ランダム３）の値と比較される数値（判定値）であって、ＣＢ１−１〜ＣＢ１−３、ＣＣ１−１〜ＣＣ１−２の変動パターン種別のいずれかに対応する判定値が設定されている
【０１４９】例えば、
図１２（Ａ）に示す大当り変動パターン種別決定テーブル１３２Ａとして、大当り種別が「通常大当り（非確変大当り）」である場合に用いられる上段のテーブルと、大当り種別が「確変大当り」である場合に用いられる中段のテーブルと、大当り種別が「突然確変大当り」である場合に用いられる下段のテーブルとが設けられ、各々のテーブルには大当り種別に対応した変動パターン種別ＣＢ１−１、ＣＢ１−２が設定されている
【０１５１】
図１３（Ａ）
は、はずれ変動パターン種別判定テーブル１３３Ａ
を示す説明図である
このうち、図１３（Ａ）は、遊技状態が低ベース状態であるとともに合算保留記憶数が０〜１である場合に用いられる変動パターン種別ＣＡ１−１，ＣＡ２−１，ＣＡ２−２が設定されたはずれ変動パターン種別決定テーブル
を示している
また、図１３（Ｂ）は、遊技状態が高ベース状態であるとともに合算保留記憶数が０〜１である場合に用いられる変動パターン種別ＣＡ１−４，ＣＡ２−１，ＣＡ２−２が設定されたはずれ変動パターン種別決定テーブル・・・を示している
【０１５２】図１４は、ＲＯＭ５４に記憶されているはずれ変動パターン決定テーブル１３４Ａと大当り変動パターン決定テーブル１３４Ｂを示す説明図である。
図１４（Ａ）に示すはずれ変動パターン決定テーブル１３４Ａは、可変表示結果を「はずれ」にする旨の判定がなされたときに、変動パターン種別の決定結果に応じて、変動パターン判定用の乱数（ランダム４）にもとづいて、変動パターンを複数種類のうちのいずれかに決定するために参照されるテーブル
【０１５３】
図１４（Ｂ）に示す大当り変動パターン判定テーブル１３４Ｂは、可変表示結果を「大当り」や「小当り」にする旨の判定がなされたときに、変動パターン種別の決定結果に応じて、変動パターン判定用の乱数（ランダム４）にもとづいて、変動パターンを複数種類のうちのいずれかに決定するために参照されるテーブル
（エ）「【０３０３】特別リーチ演出決定用乱数ＳＲ２は、
特別リーチ演出の種類（具体的には、リーチ状態になった後に表示される演出図柄の候補の画像と所定演出を示唆する所定演出示唆画像との数および種類）
【０３１０】また、
所定演出の実行中には、特別図柄の表示結果が大当り図柄となる可能性である信頼度を示す数値（例えば、０％〜１００％）を示唆する示唆演出が実行される
【０３１２】
図４４は、特別図柄の表示結果がはずれ図柄になる場合に使用される演出パターン決定テーブル
特定演出を示すデータと、それに対応する判定値が設定されている
特別リーチ演出決定用乱数の値に一致する判定値に対応する演出パターンを用いることに決定する
なお、図４４には、判定値そのものではなく、判定値数が記載されている
【０３１３】また、「リーチ後の回転図柄＝４」は、２つの演出図柄の候補の画像と２つの所定演出示唆画像とを用いて特定リーチ演出が実行されることを意味し、「リーチ後の回転図柄＝５」は、２つの演出図柄の候補の画像と３つの所定演出示唆画像とを用いて特定リーチ演出が実行されることを意味する。
【０３１４】また、
「示唆情報（星印１個）」は、示唆演出の開始から終了まで星印が１個表示されることを意味し、「示唆情報（星印２個）」は、示唆演出の開始から終了まで星印が２個表示されることを意味する。「示唆情報（星印１個）→（星印２個）（第１タイミング）」は、示唆演出の開始時に星印が１個表示され、第１タイミングで星印が２個に増加することを意味し、「示唆情報（星印１個）→（星印２個）（第２タイミング）」は、示唆演出の開始時に星印が１個表示され、第１タイミングよりも後の第２タイミングで星印が２個に増加することを意味する
【０３１６】また、
図４４（Ａ）は、所定演出ありの場合（変動パターンＰＢ１−８（図１０参照）にもとづいて演出図柄変動が行われる場合）に使用され
る
【０３１７】
図４５は、特別図柄の表示結果が通常大当り図柄になる場合に使用される演出パターン決定テーブル
特定演出を示すデータと、それに対応する判定値が設定されている
特別リーチ演出決定用乱数の値に一致する判定値に対応する演出パターンを用いることに決定する
なお、図４５には、判定値そのものではなく、判定値数が記載されている
【０３１８】・・・
「示唆情報（星印１個）→（星印２個）→（星印３個）」は、示唆演出の開始時に星印が１個表示され、第１タイミングで星印が２個に増加し、第２タイミングで星印が３個に増加することを意味する。「示唆情報（星印１個）→（星印３個）（第２タイミング）」は、示唆演出の開始時に星印が１個表示され、第２タイミングで星印が３個に増加することを意味する。「示唆情報（星印２個）→（星印３個）（第２タイミング）」は、示唆演出の開始時に星印が２個表示され、第２タイミングで星印が３個に増加することを意味する
【０３１９】また、
図４５（Ａ）は、所定演出ありの場合（変動パターンＰＢ１−８（図１０参照）にもとづいて演出図柄変動が行われる場合）に使用され
る
【０３２０】
図４６は、特別図柄の表示結果が確変大当り図柄になる場合に使用される演出パターン決定テーブルを示す説明図
特別リーチ演出決定用乱数の値に一致する判定値に対応する演出パターンを用いることに決定する
図４６には、判定値そのものではなく、判定値数が記載されている
【０３２２】また、
図４６（Ａ）は、所定演出ありの場合（変動パターンＰＢ１−８（図１０参照）にもとづいて演出図柄変動が行われる場合）に使用され
る
　上記（ア）〜（エ）の記載事項から以下の事項が導かれる。なお、（ａ）〜（ｄ）は、本願補正発明の構成Ａ〜Ｄに対応した事項を示している。
（ａ）上記（ア）の段落【００２１】には「パチンコ遊技機１」と記載され、上記（イ）の段落【００５５】には「遊技制御用マイクロコンピュータ５６０は、第１始動口スイッチ１３ａまたは第２始動口スイッチ１４ａへの始動入賞が生じたときに乱数回路５０３から数値データをランダムＲとして読み出し、特別図柄および演出図柄の変動開始時にランダムＲにもとづいて特定の表示結果としての大当り表示結果にするか否か、すなわち、大当りとするか否かを決定する。そして、大当りとすると決定したときに、遊技状態を遊技者にとって有利な特定遊技状態としての大当り遊技状態に移行させる」との記載があり、上記（ア）の段落【００２４】には「遊技領域７の中央付近には、液晶表示装置（ＬＣＤ）で構成された演出表示装置９が設けられている。演出表示装置９では、第１特別図柄または第２特別図柄の可変表示に同期した演出図柄（飾り図柄）の可変表示（変動）が行われる」との記載がある。
　これらの記載から、刊行物１には「
始動口スイッチ（１３ａ、１４ａ）への始動入賞が生じた場合、遊技制御用マイクロコンピュータ５６０が、乱数回路５０３から読み出した数値データ（ランダムＲ）にもとづいて大当りとするか否かを決定するとともに、遊技領域７の中央付近に設けられた演出表示装置９で特別図柄の可変表示に同期した演出図柄の可変表示を行い、大当りとすると決定した場合は遊技者にとって有利な特定遊技状態（大当り遊技状態）に移行させるパチンコ遊技機１
（ｂ）上記（ウ）の段落【０１３３】には「図１０は、あらかじめ用意された演出図柄の変動パターンを示す説明図」と記載され、上記（ウ）の段落【０１３４】には「可変表示結果が「はずれ」であり演出図柄の可変表示態様が「リーチ」である場合に対応した変動パターンとして、ノーマルＰＡ３−１〜ノーマルＰＡ３−２、スーパーＰＡ３−３〜スーパーＰＡ３−８の変動パターンが用意されている」と記載され、上記（ウ）の段落【０１３６】には「特別図柄の可変表示結果が大当り図柄（突然確変大当り図柄を除く）になる場合に対応した変動パターンとして、ノーマルＰＢ１−１〜ノーマルＰＢ１−２、スーパーＰＢ１−３〜スーパーＰＢ１−８の変動パターンが用意されている」と記載されている。
　これらの記載から、刊行物１には「
演出図柄の変動パターンとして、ノーマルリーチ（ＰＡ３−１〜３−２、ＰＢ１−１〜１−２）、スーパーリーチ（ＰＡ３−３〜３−８、ＰＢ１−３〜ＰＢ１−８）を含む
（ｃ）上記（ウ）の段落【０３１２】、【０３１７】、【０３２０】には、「図４４」、「図４５」、「図４６」に示される「演出パターン決定テーブル」は、それぞれ、「特別図柄の表示結果」が「はずれ図柄になる場合」、「通常大当り図柄になる場合」、「確変大当り図柄になる場合」に使用されること、「特定演出を示すデータとそれに対応する判定値」が設定されており、「演出制御用マイクロコンピュータ１００」が「特別リーチ演出決定用乱数の値に一致する判定値に対応する演出パターン」を決定することが記載されている。また、「判定値そのものではなく、判定値数が記載されている」との記載もある。
　上記（ウ）の段落【０３１６】に記載の「変動パターンＰＢ１−８（図１０参照）」は、「変動パターンＰＡ３−８（図１０参照）」の誤記であることは明らかであるから、上記段落【０３１６】には、「図４４（Ａ）」は「所定演出ありの場合（変動パターンＰＡ３−８（図１０参照）にもとづいて演出図柄変動が行われる場合）に使用される」ことが記載され、上記段落【０３１９】、【０３２２】には、「図４５（Ａ）」、「図４６（Ａ）」は、いずれも「所定演出ありの場合（変動パターンＰＢ１−８（図１０参照）にもとづいて演出図柄変動が行われる場合）に使用される」ことが記載されている。ここで、「所定演出」とは、上記（ウ）の段落【０３１０】に記載されるように「特別図柄の表示結果が大当り図柄となる可能性である信頼度を示す数値を示唆する示唆演出」である。
　上記（ウ）の段落【０３１４】、【０３１８】には、「図４４（Ａ）」〜「図４６（Ａ）」に記載の「演出パターン決定テーブル」で示される『示唆情報（星印１個）』は「示唆演出の開始から終了まで星印が１個表示される」こと、『示唆情報（星印２個）』は「示唆演出の開始から終了まで星印が２個表示される」こと、『示唆情報（星印１個）→（星印２個）（第１タイミング）』は「示唆演出の開始時に星印が１個表示され、第１タイミングで星印が２個に増加する」こと、『示唆情報（星印１個）→（星印２個）（第２タイミング）』は「示唆演出の開始時に星印が１個表示され、第１タイミングよりも後の第２タイミングで星印が２個に増加する」こと、『示唆情報（星印１個）→（星印２個）→（星印３個）』は「示唆演出の開始時に星印が１個表示され、第１タイミングで星印が２個に増加し、第２タイミングで星印が３個に増加する」こと、『示唆情報（星印１個）→（星印３個）（第２タイミング）』は「示唆演出の開始時に星印が１個表示され、第２タイミングで星印が３個に増加する」こと、『示唆情報（星印２個）→（星印３個）（第２タイミング）』は「示唆演出の開始時に星印が２個表示され、第２タイミングで星印が３個に増加する」こと、それぞれを意味するとの説明がなされている。
　以上から、「図４４（Ａ）」〜「図４６（Ａ）」の「演出パターン決定テーブル」には、「示唆演出の開始時に星印が１個表示され、第１タイミングで星印が２個に増加する演出パターン（Ａ−１−２、Ｂ−１−２、Ｃ−１−２、Ｄ−１−２）」、「示唆演出の開始時に星印が１個表示され、第１タイミングよりも後の第２タイミングで星印が２個に増加する演出パターン（Ａ−１−３、Ｂ−１−３、Ｃ−１−３、Ｄ−１−３）」、「示唆演出の開始時に星印が１個表示され、第１タイミングで星印が２個に増加し、第２タイミングで星印が３個に増加する演出パターン（Ａ−１−５、Ｂ−１−５、Ｃ−１−５、Ｄ−１−５）」、「示唆演出の開始時に星印が１個表示され、第２タイミングで星印が３個に増加する演出パターン（Ａ−１−６、Ｂ−１−６、Ｃ−１−６、Ｄ−１−６）」、「示唆演出の開始時に星印が２個表示され、第２タイミングで星印が３個に増加する演出パターン（Ａ−１−７、Ｂ−１−７、Ｃ−１−７、Ｄ−１−７）」が記載されているといえる。
　そうすると、刊行物１には「
スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターン
　また、「図４４（Ａ）」〜「図４６（Ａ）」の「演出パターン決定テーブル」には、「示唆演出の開始から終了まで星印が１個表示される演出パターン（Ａ−１−１、Ｂ−１−１、Ｃ−１−１、Ｄ−１−１）」と「示唆演出の開始から終了まで星印が２個表示される演出パターン（Ａ−１−４、Ｂ−１−４、Ｃ−１−４、Ｄ−１−４）」が記載されているといえる。
　したがって、刊行物１には「
スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターン
　そして、上記（ｂ）で認定したとおり、刊行物１には「
演出図柄の変動パターンとしてのノーマルリーチ
（ｄ）上記（ｃ）で認定した「
スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターン（Ａ〜Ｄ−１−２、Ａ〜Ｄ−１−３、Ａ〜Ｄ−１−５、Ａ〜Ｄ−１−６、Ａ〜Ｄ−１−７）
　上記（ウ）の段落【０１２６】の記載及び図９（Ａ）に示される「大当り判定テーブル」から、
通常時の大当り確率は「１／３００」、確変時の大当り確率は「１／３０」
　上記（ウ）の段落【０１４３】には「ＣＢ１−２は、可変表示態様（表示結果）が非確変大当り（通常大当り）または確変大当りであってスーパーリーチのときに選択される変動パターン種別」と記載され、上記（ウ）の段落【０１４７】に記載の「大当り変動パターン種別決定テーブル１３２Ａ」は「可変表示結果を大当り図柄にする旨の判定がなされたときに大当り種別の判定結果に応じて、変動パターン種別を、変動パターン種別判定用の乱数にもとづいて複数種類のうちのいずれかに決定するために参照される」ものであるところ、「
変動パターン種別ＣＢ１−２」の選択確率は、大当り変動パターン種別決定テーブル１３２Ａによれば、大当り種別が「通常大当り」である場合に「１００／２５１」、大当り種別が「確変大当り」である場合に「２００／２５１」
　上記（ウ）の段落【０１４２】には「ＣＡ２−２は、可変表示態様（表示結果）がリーチ（はずれ）であってスーパーリーチのときに選択される変動パターン種別」と記載され、上記（ウ）の段落【０１５１】には「図１３（Ａ）は、遊技状態が低ベース状態であるとともに合算保留記憶数が０〜１である場合に用いられる変動パターン種別ＣＡ１−１，ＣＡ２−１，ＣＡ２−２が設定されたはずれ変動パターン種別決定テーブル」であることが記載され、「
変動パターン種別ＣＡ２−２（可変表示態様（表示結果）がリーチ（はずれ）であってスーパーリーチのときに選択される変動パターン種別）」の選択確率は「５０／２５１」
　上記（ウ）の段落【０１５３】及び「図１４（Ｂ）」に示される「大当り変動パターン判定テーブル１３４Ｂ」は「可変表示結果を「大当り」にする旨の判定がなされたときに、変動パターン種別の決定結果に応じて、変動パターン判定用の乱数にもとづいて、変動パターンを複数種類のうちのいずれかに決定するために参照されるテーブル」であるところ、「
変動パターン種別ＣＢ１−２」が選択された場合の「スーパーＰＢ１−８」の選択確率は「９７／９９７」
　同様に、上記（ウ）の段落【０１５２】及び「図１４（Ａ）」に示される「はずれ変動パターン決定テーブル１３４Ａ」は「可変表示結果を「はずれ」にする旨の判定がなされたときに、変動パターン種別の決定結果に応じて、変動パターン判定用の乱数にもとづいて、変動パターンを複数種類のうちのいずれかに決定するために参照されるテーブル」であるところ、上記「
変動パターン種別ＣＡ２−２」が選択された場合の「スーパーＰＡ３−８」の選択確率は「９７／９９７」
　上記（ｃ）でも示したとおり、「図４４（Ａ）」、「図４５（Ａ）」、「図４６（Ａ）」は、それぞれ、「特別図柄の表示結果」が「はずれ図柄になる場合」、「通常大当り図柄になる場合」、「特別図柄の表示結果が確変大当り図柄になる場合」に使用される「演出パターン決定テーブル」であって、「所定演出ありの場合（変動パターンＰＡ３−８又はＰＢ１−８（図１０参照）にもとづいて演出図柄変動が行われる場合）に使用される」ものであり、「特定演出を示すデータとそれに対応する判定値数」が記載されているところ、「通常大当り図柄になる場合（図４５（Ａ）参照）」、「特別図柄の表示結果が確変大当り図柄になる場合（図４６（Ａ）参照）」、「はずれ図柄になる場合（図４４（Ａ）参照）」における
「スーパーＰＡ３−８又はＰＢ１−８にもとづく星印の数が増加する演出パターン」の選択確率は、それぞれ、「２０／５０（通常大当り）」、「４１／４９（確変大当り）」、「８／５０（はずれ）」
　以上から、
通常時において「大当り」結果となる場合における「スーパーＰＢ１−８にもとづく星印の数が増加する演出パターン」の出現回数
１．５５（回）
通常時において「はずれ」結果となる場合における「スーパーＰＡ３−８にもとづく星印の数が増加する演出パターン」の出現回数
９２．７（回）
通常時における「スーパーＰＡ３−８又はＰＢ１−８にもとづく星印の数が増加する演出パターン」の大当り期待度は、
１．６％（通常時）
　同様に、
確変時において「大当り」結果となる場合における「スーパーＰＢ１−８にもとづく星印の数が増加する演出パターン」の出現回数
６４．９（回）
確変時において「はずれ」結果となる場合における「スーパーＰＡ３−８にもとづく星印の数が増加する演出パターン」の出現回数
８９．９（回）
確変時における「スーパーＰＡ３−８又はＰＢ１−８にもとづく星印の数が増加する演出パターン」の大当り期待度は、
４１．９％（確変時）
　上記（ｃ）で認定した「
スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターン（Ａ〜Ｄ−１−１、Ａ〜Ｄ−１−４）
　「通常大当り図柄になる場合（図４５（Ａ）参照）」、「特別図柄の表示結果が確変大当り図柄になる場合（図４６（Ａ）参照）」、「はずれ図柄になる場合（図４４（Ａ）参照）」における
「スーパーＰＡ３−８又はＰＢ１−８にもとづく星印の数が変化しない演出パターン」の選択確率は、それぞれ、「３０／５０（通常大当り）」、「８／４９（確変大当り）」、「４２／５０（はずれ）」
　通常時において「大当り」結果となる場合における「スーパーＰＢ１−８にもとづく星印の数が変化しない演出パターン」の出現回数
２．３（回）
通常時において「はずれ」結果となる場合における「スーパーＰＡ３−８にもとづく星印の数が変化しない演出パターン」の出現回数
４８６．８（回）
通常時における「スーパーＰＡ３−８又はＰＢ１−８にもとづく星印の数が変化しない演出パターン」の大当り期待度は、
０．５％（通常時）
　同様に、
確変時において「大当り」結果となる場合における「スーパーＰＢ１−８にもとづく星印の数が変化しない演出パターン」の出現回数
１２．７（回）
確変時において「はずれ」結果となる場合における「スーパーＰＡ３−８にもとづく星印の数が変化しない演出パターン」の出現回数
４７２．１（回）
確変時における「スーパーＰＡ３−８又はＰＢ１−８にもとづく星印の数が変化しない演出パターン」の大当り期待度は、
２．６％（確変時）
　上記（ｃ）で認定した「
演出図柄の変動パターンとして、ノーマルリーチ（ＰＡ３−１〜３−２、ＰＢ１−１〜１−２）
　
通常時において「大当り」結果となる場合における「ノーマルリーチ」の出現回数
５３．８（回）
通常時において「はずれ」結果となる場合における「ノーマルリーチ」の出現回数
５９５６．１（回）
通常時における「ノーマルリーチ」の大当り期待度は、
０．９％（通常時）
　同様に、
確変時において「大当り」結果となる場合における「ノーマルリーチ」の出現回数
１７９．２（回）
確変時において「はずれ」結果となる場合における「ノーマルリーチ」の出現回数
５７７６．９（回）
確変時における「ノーマルリーチ」の大当り期待度は、
３．０％（確変時）
　したがって、刊行物１には「
スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターンの大当り期待度は、１．６％（通常時）、４１．９％（確変時）であり、スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターンの大当り期待度は０．５％（通常時）、２．６％（確変時）であり、ノーマルリーチの大当り期待度は、０．９％（通常時）、３．０％（確変時）である
　上記記載事項（ア）〜（エ）及び認定事項（ａ）〜（ｄ）から、刊行物１には次の発明（以下、「引用発明」という。）が記載されていると認められる（ａ〜ｄは、本願補正発明の構成Ａ〜Ｄに対応させて当審で付した。）。
「ａ　始動口スイッチ（１３ａ、１４ａ）への始動入賞が生じた場合、遊技制御用マイクロコンピュータ５６０が、乱数回路５０３から読み出した数値データ（ランダムＲ）にもとづいて大当りとするか否かを決定するとともに、遊技領域７の中央付近に設けられた演出表示装置９で特別図柄の可変表示に同期した演出図柄の可変表示を行い、大当りとすると決定した場合は遊技者にとって有利な特定遊技状態（大当り遊技状態）に移行させるパチンコ遊技機１であって（認定事項（ａ））、
ｂ　演出図柄の変動パターンとして、ノーマルリーチ（ＰＡ３−１〜３−２、ＰＢ１−１〜１−２）、スーパーリーチ（ＰＡ３−３〜３−８、ＰＢ１−３〜ＰＢ１−８）を含んでおり（認定事項（ｂ））、
ｃ　スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターン、スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターン、演出図柄の変動パターンとしてのノーマルリーチを含んでおり（認定事項（ｃ））、
ｄ　スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターンの大当り期待度は、１．６％（通常時）、４１．９％（確変時）であり、スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターンの大当り期待度は０．５％（通常時）、２．６％（確変時）であり、演出図柄の変動パターンとしてのノーマルリーチの大当り期待度は、０．９％（通常時）、３．０％（確変時）である（認定事項（ｄ））、パチンコ遊技機１（段落【００２１】）。」
（３）対比
　本願補正発明と引用発明とを、分説にしたがって対比する。
（ａ）引用発明の「始動口スイッチ（１３ａ、１４ａ）への始動入賞が生じた場合」は、本願補正発明の「始動条件が成立した場合」に相当する。
　引用発明の「遊技制御用マイクロコンピュータ５６０」が「乱数回路５０３から読み出した数値データ（ランダムＲ）にもとづいて大当りとするか否かを決定するとともに、大当りとすると決定した場合は遊技者にとって有利な特定遊技状態（大当り遊技状態）に移行させる」ことは、本願補正発明における「遊技者に有利な特別遊技を実行するか否かを判定するとともに、該判定結果が特別判定結果である場合は前記特別遊技を実行する」ことに相当する。
　引用発明における「遊技領域７の中央付近に設けられた演出表示装置９」
が「特別図柄の可変表示に同期した演出図柄の可変表示を行」うことは、本願補正発明の「該判定結果を報知するための報知演出を実行」することに相当する。
　したがって、引用発明における構成ａは、本願補正発明における「始動条件が成立した場合、遊技者に有利な特別遊技を実行するか否かを判定するとともに該判定結果を報知するための報知演出を実行し、該判定結果が特別判定結果である場合は前記特別遊技を実行する遊技機であって」に相当する。
（ｂ）引用発明の「ノーマルリーチ（ＰＡ３−１〜３−２、ＰＢ１−１〜１−２）、スーパーリーチ（ＰＡ３−３〜３−８、ＰＢ１−３〜ＰＢ１−８）」は、「特別図柄の可変表示結果が大当り図柄になる場合に対応した」ものとして用意されているから、本願補正発明の「複数種類の特定演出」に相当し、また「遊技領域７の中央付近に設けられた演出表示装置９」において「第１特別図柄または第２特別図柄の可変表示に同期した演出図柄の可変表示」（上記（ａ）参照）としてなされるものであるから、本願補正発明の「報知演出」に含まれる。
　したがって、引用発明における構成ｂは、本願補正発明における「前記報知演出には、複数種類の特定演出のうちいずれかを実行する報知演出が含まれ」に相当する。
（ｃ）引用発明の「スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターン」は、本願補正発明の「特定演出の実行中に前記判定結果が前記特別判定結果である期待度を表示する示唆演出を実行し、かつ、該示唆演出の実行中に前記期待度の表示が変化可能な第１特定演出」に相当する。
　引用発明の「スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターン」は、本願補正発明における「特定演出の実行中に前記示唆演出を実行し、かつ、該示唆演出の実行中に前記期待度の表示が変化不可能な第２特定演出」に相当する。
　そして、引用発明の「演出図柄の変動パターンとしてノーマルリーチ」は、本願補正発明における「特定演出の実行中に前記示唆演出を実行しない第３特定演出」に相当する。
　したがって、引用発明における構成ｃは、本願補正発明における「前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれ」に相当する。
（ｄ）本願補正発明の「第１特定演出」に相当する引用発明の「スーパーＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターン」の「大当り期待度」は「１．６％（通常時）、４１．９％（確変時）」であり、本願補正発明の「第３特定演出」に相当する引用発明の「演出図柄の変動パターンとしてのノーマルリーチ」の「大当り期待度」は「０．９％（通常時）、３．０％（確変時）」であるから、前者の大当り期待度は後者の大当り期待度よりも高いといえる。
　他方、本願補正発明の「第２特定演出」に相当する引用発明の「スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の開始から終了まで星印が１個又は２個表示される演出パターン」の「大当り期待度」は「０．５％（通常時）、２．６％（確変時）」であり、本願補正発明の「第１特定演出」に相当する引用発明の「スーパーＰＡ３−８又はＰＢ１−８にもとづいて行われる変動パターンであって、特別図柄の表示結果が大当り図柄となる可能性である信頼度を示す数値を示唆する示唆演出が実行され、かつ、示唆演出の実行中に星印の数が増加する演出パターン」の「大当り期待度」は「１．６％（通常時）、４１．９％（確変時）」であるから、前者の大当り期待度は、後者の大当り期待度よりも「低い」。
　したがって、引用発明における構成ｄは、本願補正発明における「前記第１特定演出は、前記第３特定演出よりも前記判定結果が前記特別判定結果である期待度が高い特定演出」である点で共通する。
　上記（ａ）〜（ｄ）の対比から、本願補正発明と引用発明とは、
［一致点］
「Ａ　始動条件が成立した場合、遊技者に有利な特別遊技を実行するか否かを判定するとともに該判定結果を報知するための報知演出を実行し、該判定結果が特別判定結果である場合は前記特別遊技を実行する遊技機であって、
Ｂ　前記報知演出には、複数種類の特定演出のうちいずれかを実行する報知演出が含まれ、
Ｃ　前記複数種類の特定演出には、特定演出の実行中に前記判定結果が前記特別判定結果である期待度を表示する示唆演出を実行し、かつ、該示唆演出の実行中に前記期待度の表示が変化可能な第１特定演出と、特定演出の実行中に前記示唆演出を実行し、かつ、該示唆演出の実行中に前記期待度の表示が変化不可能な第２特定演出と、特定演出の実行中に前記示唆演出を実行しない第３特定演出とが含まれ、
Ｄ’前記第１特定演出は、前記第３特定演出よりも前記判定結果が前記特別判定結果である期待度が高い特定演出である遊技機。」
　である点で一致し、以下の点で相違する。
［相違点］
　「示唆演出の実行中に期待度の表示が変化不可能な前記第２特定演出」が、本願補正発明では「期待度の表示が変化可能な前記第１特定演出」よりも「判定結果が特別判定結果である期待度が高い」のに対し、引用発明ではそのように特定されていない点。
（４）判断
　上記相違点について検討する。
ア　対比・判断
　例えば、全回転リーチの信頼度をノーマルリーチから発展する他のリーチの信頼度よりも高くするなどにより、示唆演出の実行中に期待度の表示が変化不可能な特定演出よりも期待度の表示が変化可能な特定演出の期待度を高くすることは、本願出願日前における周知技術である（周知例１（「ＣＲ太平絵巻Ｌ２」，パチンコ攻略マガジン３月８日号，株式会社双葉社， 平成１３年３月８日発行，第１３巻第７号，第３２−３３頁）の３３頁右下の枠内に示された「各リーチアクションの出現率＆信頼度」には、『全回転』リーチの信頼度を、『やぶさめ』における各リーチの信頼度よりも高くすることが記載され、同頁中段には「ノーマルを経由するリーチアクション（増加・
やぶさめ
　そして、前記全回転リーチは、前記第２特定演出といえ、前記発展する他のリーチは前記第１特定演出といえる。したがって、前記第２特定演出の期待度を前記第１特定演出の期待度よりも高くしているといえる。
　ところで、引用発明は、期待度の表示が変化可能な第１特定演出と変化不可能な第２特定演出を備えており、第１特定演出と第２特定演出の期待度のどちらを高くするかは当業者が適宜設計できることであるから、引用発明に、前記周知技術を適用することで、上記相違点に係る本願補正発明の構成とすることは引用発明と周知技術から当業者が容易に想到し得たことである。
イ　請求人の主張について
　請求人は、平成２８年８月８日付けの審判請求書の「３−３．拒絶理由について」において、
「・・・この特徴に対し、上記引用文献１の［図１０］、［図４４］−［図４６］には、複数の演出パターンが示されており、これらの図には、上記特徴における「第１特定演出」に相当する、「演出パターンＡ−１−２，３，
５〜７」、「演出パターンＢ−１−２，３，５〜７」、「演出パターンＣ−１−２，３，５〜７」、「演出パターンＤ−１−２，３，５〜７」と、
　上記特徴における「第２特定演出」に相当する、「演出パターンＡ−１−１，４」、「演出パターンＢ−１−１，４」、「演出パターンＣ−１−１，４」、「演出パターンＤ−１−１，４」と、
　上記特徴における「第３特定演出」に相当する、「ノーマルリーチ」、「スーパーリーチα」、「スーパーリーチβ」、「演出パターンＡ−２」、「演出パターンＢ−２」、「演出パターンＣ−２」、「演出パターンＤ−２」と、が記載されております。 
　しかしながら、上記特徴における、 
「第１特定演出は、第３特定演出よりも大当たり期待度が高い特定演出であり、第２特定演出は、第１特定演出よりも大当たり期待度が高い特定演出である」という大当たり期待度の高低の関係性に関しては、本引用文献１には記載されておりません。」
　と主張している。
　これについて検討すると、「第１特定演出は、第３特定演出よりも大当たり期待度が高い特定演出」とする点は刊行物１に記載されている。また、「第２特定演出は、第１特定演出よりも大当たり期待度が高い特定演出」とする点は、上記アで示したとおり、本願の出願日前における周知技術であり、この周知技術を引用発明に適用することは当業者が容易に想到し得たことであるから、請求人の上記主張は採用することができない。 
ウ　小括
　よって、本願補正発明は、引用発明及び周知技術に基づいて当業者が容易に想到し得たものであるから、特許法第２９条第２項の規定により、特許出願の際に独立して特許を受けることができない。
４　むすび
　以上のとおり、本願補正発明は、特許法第１７条の２第６項において準用する同法第１２６条第７項の規定に違反するので、同法第１５９条第１項の規定において読み替えて準用する同法第５３条第１項の規定により却下すべきものである。
第３　本願補正発明について
　本件補正は、上記のとおり却下されることとなったので、本願の請求項１に係る発明は、平成２８年１月７日付け手続補正書により補正された特許請求の範囲の請求項１に記載された事項により特定されるとおりのものであるところ、その請求項１に係る発明（以下、「本願発明」という。）は、「第２［理由］１補正の内容」に、本件補正前の請求項１として記載したとおりのものである。
１　刊行物１
　原査定の拒絶の理由に引用された本願の出願前に頒布された刊行物１の記載事項及び引用発明の認定については、「第２［理由］３（２）」に記載したとおりである。
２　対比・判断
　本願発明は、上記「第２［理由］」で検討した本願補正発明から、「第１特定演出」、「第２特定演出」及び「第３特定演出」について、「前記第１特定演出は、前記第３特定演出よりも前記判定結果が前記特別判定結果である期待度が高い特定演出であり、前記第２特定演出は、前記第１特定演出よりも前記判定結果が前記特別判定結果である期待度が高い特定演出である」との限定を省いたものである。
　してみると、本願発明は、本願補正発明について検討した「第２［理由］３（３）対比」における［相違点］に相当する構成を有しないこととなるから、本願発明と引用発明との間には相違点が存在しないこととなる。
　したがって、本願発明は、引用発明と同一であり、仮に相違点があるとしても引用発明に基づいて当業者が容易に想到し得たものである。
３　むすび
　以上のとおりであるから、本願発明は、特許法第２９条第２項の規定により特許を受けることができないものである。
　したがって、本願は拒絶すべきものである。
　よって、結論のとおり審決する。